(57)【特許請求の範囲】
【請求項１】
横方向に複数枚重ねられた矩形状の濾板と、上記濾板に横方向に貫通して設けたスラリー通過口と、上記濾板の一方及び他方の面の上記スラリー通過口の周辺に夫々設けたくぼみと、上記スラリー通過口に連通する部分に貫通孔を形成した、上記各濾板を取り巻くように配置したフィルター（濾布）と、上記濾板とフィルター間に濾液を濾液排出口に案内するための溝を形成するため上記濾板の一方及び他方の面に夫々形成した凹部と、上記フィルターを上記スラリー通過口の周りで上記濾板に固定するための１対のスペーサーとより成るフィルタープレス装置に用いる送液リングであって、外端部外周面にスペーサー押さえ用のフランジを突出形成した一方及び他方の２個の筒状リング素子と、この一方のリング素子の内端面に軸方向に延びるよう円周方向に互いに離間して形成したネジ孔と、上記他方のリング素子の内端面に軸方向に形成した上記ネジ孔に対向するボルト挿通孔とより成り、上記各リング素子の上記ネジ孔及び貫通孔形成部分が半円弧状に内周面に膨出されており、夫々のリング素子の内端面が互に対向する向きで夫々濾板の一方及び他方の側面からスラリー通過口にスペーサーを介して上記リング素子を嵌め込まれ、上記ネジ孔に螺合してボルト締めされるようにしたことを特徴とするフィルタープレス装置の送液リング。
【発明の詳細な説明】
【０００１】
【発明の属する技術分野】
本発明は、上下水道，排水処理設備，製鉄所，採石工場，食品，染料，顔料製造工場，石油精製プラント等あらゆる技術分野において使用されるフィルタープレス装置の送液リングに関するものである。
【０００２】
【従来の技術】
例えば石油精製プラントにおいてワックスを回収するのにフィルタープレスが頻繁に使用されている。
【０００３】
このようなフィルタープレスとしては例えば、特開昭６３−１２３４０７号公報が知られている。
【０００４】
図６はこのような従来のフィルタープレス装置の濾板部分を示し、１はフィルタープレス装置内で横方向に複数枚重ねられる矩形状の濾板、２は上記濾板１に横方向に貫通して設けたスラリー通過口、３は上記濾板１の一方及び他方の面の上記スラリー通過口２の周辺に夫々設けたくぼみ、４は上記スラリー通過口２に連通する部分に貫通孔を形成した、上記各濾板１を取り巻くように配置したフィルター（濾布）、５は上記濾板１とフィルター４間に濾液を濾液排出口（図示せず）に案内するための溝を形成するため上記濾板１の一方及び他方の面に夫々形成した凹部、６は上記フィルター４を上記スラリー通過口２の周りで上記濾板１に固定するための１対のスペーサーであって、スラリー通過口２に送られた加圧されたスラリーは、密着した濾板１間の隙間７に送られ、フィルター４により濾過され、上記凹部５を通じて濾液排出口に送られる。
【０００５】
このような従来のフィルタープレス装置においては外周面に雄ネジを形成した筒状の送液リング８をスラリー通過口２に嵌合し、これに螺合したナット９と濾板１間にスペーサ６を介して上記左右のナット９を回してフィルター４を挟持固定せしめている。
【０００６】
【発明が解決しようとする課題】
然しながら、フィルター４には寿命があり、数年に一度フィルターの交換が必要となるが、フィルターの交換作業には送液リング８の脱着が伴い、特に送液リング８の取り付けの際、送液リング８とナット９がかみ合いにくいので、ネジを合わせるのに時間がかかり、また、その作業に作業員の熟練を必要としていた。
【０００７】
また、送液リング８のネジの焼け付きが多く、簡単に外れなくなる恐れがあった。
【０００８】
また、送液リング８のネジ山合わせには、１人が濾板１の表側から一方のナット９を支持固定し、もう１人が濾板１の裏側より他方のナット９のネジ山を合わせる必要があるため、作業に２人を必要とした。
【０００９】
本発明は上記の欠点を除くようにしたものである。
【００１０】
【課題を解決するための手段】
本発明のフィルタープレス装置の送液リングは、横方向に複数枚重ねられた矩形状の濾板と、上記濾板に横方向に貫通して設けたスラリー通過口と、上記濾板の一方及び他方の面の上記スラリー通過口の周辺に夫々設けたくぼみと、上記スラリー通過口に連通する部分に貫通孔を形成した、上記各濾板を取り巻くように配置したフィルター（濾布）と、上記濾板とフィルター間に濾液を濾液排出口に案内するための溝を形成するため上記濾板の一方及び他方の面に夫々形成した凹部と、上記フィルターを上記スラリー通過口の周りで上記濾板に固定するための１対のスペーサーとより成るフィルタープレス装置に用いる送液リングであって、外端部外周面にスペーサー押さえ用のフランジを突出形成した一方及び他方の２個の筒状リング素子と、この一方のリング素子の内端面に軸方向に延びるよう円周方向に互いに離間して形成したネジ孔と、上記他方のリング素の子内端面に軸方向に形成した上記ネジ孔に対向するボルト挿通孔とより成り、上記各リング素子の上記ネジ孔及び貫通孔形成部分が半円弧状に内周面に膨出されており、夫々のリング素子の内端面が互に対向する向きで夫々濾板の一方及び他方の側面からスラリー通過口にスペーサーを介して上記リング素子を嵌め込まれ、上記ネジ孔に螺合してボルト締めされるようにしたことを特徴とする。
【００１２】
【発明の実施の形態】
本発明においては、フィルタープレス装置の送液リング１を図１〜図５に示すように、夫々その一端面にスペーサー押さえ用のフランジ１０を形成した２個のリング素子１１，１２によって形成し、一方のリング素子１１の他端面にネジ孔１３を形成し、他方のリング素子１２にボルト挿通孔１４を形成し、夫々のリング素子１１，１２の他端面が互に対向する向きで夫々濾板１の一方の側面からスラリー通過口２にスペーサー６を介して上記一方のリング素子１１を嵌め込み、また、上記濾板１の他方の側面からスペーサー６を介して他方のリング素子１２を嵌め込み、上記ボルト挿通孔１４を貫通してボルトを上記ネジ孔１３に螺合して締め付ければフランジ１０によってスペーサ６を介してフィルター４が濾板１に押圧されるようにする。
【００１３】
なお、本発明においては上記ネジ孔１３とボルト挿通孔１４部分の機械的強度を高めるため、これらを形成するリング素子１１，１２の部分を図１〜図５に示すように半円弧状に内周面に膨出せしめるのが好ましい。
【００１４】
【発明の効果】
上記のように、本発明のフィルタープレス装置の送液リングによれば、ボルト固定のため、作業員の熟練度に影響することがないので、フィルター交換時間の短縮が図れ、例えば従来の送液リングの取り付けには１０分以上かかっていたものが、本発明により２分程度に短縮され、ナットを使用しないので焼付きの心配がなく、従って、送液リングの破損による作成費低減を図ることができ、１人で交換が出来るのでフィルターの交換労力が軽減される等大きな利益がある。
【図面の簡単な説明】
【図１】本発明のフィルタープレス装置の送液リングの縦断側面図である。
【図２】本発明のフィルタープレス装置の送液リングを構成する一方のリング素子の縦断側面図である。
【図３】図２に示す一方のリング素子の正面図である。
【図４】  本発明のフィルタープレス装置の送液リングを構成する他方のリング素子の縦断側面図である。
【図５】  図４に示す他方のリング素子の正面図である。
【図６】  従来のフィルタープレス装置の送液リングの縦断側面図である。
【符号の説明】
１  濾板
２  スラリー通過口
３  くぼみ
４  フィルター
５  凹部
６  スペーサー
７  隙間
８  送液リング
９  ナット
１０  フランジ
１１  リング素子
１２  リング素子
１３  ネジ孔
１４  ボルト挿通孔
【図１】
0003964999.tif 000002
【図２】
0003964999.tif 000003
【図３】
0003964999.tif 000004
【図４】
0003964999.tif 000005
【図５】
0003964999.tif 000006
【図６】
0003964999.tif 000007